(57)【要約】排出路及び少なくとも１つの入口路を備えている渦巻噴霧発生システム。排出路及び少なくとも１つの入口路は、少なくとも１つの入口路が渦巻及び噴霧パターンを発生させるのに十分な、排出路中への接線方向の流体の供給を少なくとも１つの入口路が提供することが出来るよう互いに配置されている。加圧されている流体中に渦巻を発生させ噴霧として加圧された流体を排出する方法。この方法は、排出路及び少なくとも１つの入口路を備えている渦巻噴霧発生装置を提供すること、そして少なくとも１つの入口路を介し排出路中に渦巻及び噴霧パターンを発生させるのに十分な流体の接線方向供給を導入すること、を備えている。少なくとも１つの入口路は、それが排出路に対し直角であるか又は排出路に対し角度が付けられているよう配置されている。【選択図】    図３０
2015526265.tif 000002
【特許請求の範囲】
【請求項１】
排出路及び少なくとも１つの入口路を備えており、排出路及び少なくとも１つの入口路は、少なくとも１つの入口路が渦巻及び噴霧パターンを発生させるのに十分な排出路中への流体の接線方向供給を提供することが出来るよう、配置されている、渦巻噴霧発生システム。
【請求項２】
排出路及び２つの入口路；排出路及び３つの入口路；又は排出路及び楕円入口路を備えていて、
前記排出路及び前記２つの入口路は、前記２つの入口路が渦巻及び噴霧パターンを発生させるのに十分な前記排出路中への流体の接線方向供給を夫々が提供することが出来るよう、互いに配置されていて、
前記排出路及び前記３つの入口路は、前記３つの入口路が渦巻及び噴霧パターンを発生させるのに十分な前記排出路中への流体の接線方向供給を夫々が提供することが出来るよう、互いに配置されていて、
前記排出路及び前記楕円入口路は、前記楕円入口路が渦巻及び噴霧パターンを発生させるのに十分な前記排出路中への流体の接線方向供給を提供することが出来るよう、互いに配置されている、
請求項１の渦巻噴霧発生システム。
【請求項３】
前記排出路が水溜りを含む、請求項１の渦巻噴霧発生システム。
【請求項４】
前記水溜りが前記少なくとも１つの入口路の最も低い部分以下である前記排出路の領域を備えている、請求項３の渦巻噴霧発生システム。
【請求項５】
前記排出路が前記排出路の長さに延出した中央案内柱を含む、請求項１の渦巻噴霧発生システム。
【請求項６】
前記排出路が直線状，直線状で延び出している、湾曲している，又は湾曲して延び出している、請求項１の渦巻噴霧発生システム。
【請求項７】
前記少なくとも１つの入口路が前記排出路に対し直角に又は前記排出路に対し角度が付けられて配置されている、請求項１の渦巻噴霧発生システム。
【請求項８】
前記２つの入口路が前記排出路に対し直角に、又は前記排出路に対し角度が付けられて、叉はそれらの組み合わせで、配置されているか；又は
前記３つの入口路が前記排出路に対し直角に、又は前記排出路に対し角度が付けられて、叉はそれらの組み合わせで、配置されているか；又は
前記１つの楕円入口路が前記排出路に対し直角に、又は前記排出路に対し角度が付けられて、叉はそれらの組み合わせで、配置されている、
請求項２の渦巻噴霧発生システム。
【請求項９】
前記少なくとも１つの入口路が、前記排出路に対し約１５°から約７５°までで角度が付けられて配置されているか、又は前記排出路に対し約３０°から約６０°までで角度が付けられて配置されているか、又は前記排出路に対し約４５°で角度が付けられて配置されている、
請求項１の渦巻噴霧発生システム。
【請求項１０】
前記２つの入口路が、前記排出路に対し中心位置からずれて対向している位置に配置されているか；又は前記３つの入口路が、前記排出路に対し中心位置からずれている対向している位置に配置されている、
請求項２の渦巻噴霧発生システム。
【請求項１１】
加圧されているエアゾール缶又は弁，霧又はトリガーポンプ，及び／又は加圧されている噴霧器と関連している噴霧アクチュエータにおける使用の為の請求項１の渦巻噴霧発生システム。
【請求項１２】
排出路及び少なくとも１つの入口路を備えており、排出路及び少なくとも１つの入口路は、少なくとも１つの入口路が渦巻及び噴霧パターンを発生させるのに十分な排出路中への流体の接線方向供給を提供することが出来るよう、配置されている、噴霧の形状で流体を排出する為の装置。
【請求項１３】
排出路及び少なくとも１つの入口路を備えており、少なくとも１つの入口路は、排出路に対し直角に又は排出路に対し角度が付けられて配置されている、渦巻噴霧発生装置を提供する工程；そして、
前記少なくとも１つの入口路を介し前記排出路中へと流体の接線方向供給を導入し渦巻及び噴霧パターンを発生させる工程、
を備えている、加圧されている流体を噴霧として排出するよう加圧されている流体中に渦巻を発生させる方法。
【請求項１４】
前記渦巻噴霧発生装置が：
排出路及び２つの入口路；排出路及び３つの入口路；又は排出路及び楕円入口路を備えていて、
前記排出路及び前記２つの入口路は、前記２つの入口路が渦巻及び噴霧パターンを発生させるのに十分な前記排出路中への流体の接線方向供給を夫々が提供することが出来るよう、互いに配置されていて、
前記排出路及び前記３つの入口路は、前記３つの入口路が渦巻及び噴霧パターンを発生させるのに十分な前記排出路中への流体の接線方向供給を夫々が提供することが出来るよう、互いに配置されていて、
前記排出路及び前記楕円入口路は、前記楕円入口路が渦巻及び噴霧パターンを発生させるのに十分な前記排出路中への流体の接線方向供給を提供することが出来るよう、互いに配置されている、
請求項１３の方法。
【請求項１５】
前記排出路が水溜りを含む、請求項１３の方法。
【請求項１６】
前記水溜りが前記少なくとも１つの入口路の最も低い部分以下である前記排出路の領域を備えている、請求項１５の方法。
【請求項１７】
前記排出路が前記排出路の長さに延出した中央案内柱を含む、請求項１３の方法。
【請求項１８】
前記排出路が直線状，直線状で延び出している、湾曲している，又は湾曲して延び出している、請求項１３の方法。
【請求項１９】
前記少なくとも１つの入口路が前記排出路に対し直角に又は前記排出路に対し角度が付けられて配置されている、請求項１３の方法。
【請求項２０】
前記２つの入口路が前記排出路に対し直角に、又は前記排出路に対し角度が付けられて、叉はそれらの組み合わせで、配置されているか；又は
前記３つの入口路が前記排出路に対し直角に、又は前記排出路に対し角度が付けられて、叉はそれらの組み合わせで、配置されているか；又は
前記１つの楕円入口路が前記排出路に対し直角に、又は前記排出路に対し角度が付けられて、叉はそれらの組み合わせで、配置されている、
請求項１４の方法。
【請求項２１】
前記少なくとも１つの入口路が、前記排出路に対し約１５°から約７５°までで角度が付けられて配置されているか、又は前記排出路に対し約３０°から約６０°までで角度が付けられて配置されているか、又は前記排出路に対し約４５°で角度が付けられて配置されている、
請求項１３の方法。
【請求項２２】
前記２つの入口路が、前記排出路に対し中心位置からずれて対向している位置に配置されているか；又は前記３つの入口路が、前記排出路に対し中心位置からずれている対向している位置に配置されている、
請求項１４の方法。
【発明の詳細な説明】
【技術分野】
【０００１】
この開示は、加圧されている流体及び加圧されている流体の為の排出装置の分野に関係している。より詳細には、この開示は、加圧されている流体中に渦巻を発生させて流体を噴霧として排出するシステムに関係している。
【背景技術】
【０００２】
多くの流体又は液体製品は、噴霧の形状で流体又は液体製品を排出する為の手段を含んでいる容器中に詰められている。このような容器は、典型的には、排出弁を介し、圧力の下で流体又は液体製品を排出する。例えば、流体又は液体製品は、排出弁が取り付けられている密封されている容器中に圧力の下で貯蔵されることが出来る。あるいは、流体又は液体製品は、圧力の下で排出弁を介し流体又は液体製品を付勢するためのポンプ手段を含む排出弁が取り付けられている容器中に貯蔵されることが出来る。
【０００３】
如何なる場合においても、しかしながら、幾つかの形状のアクチュエータが、しばしばキャップとして、容器に通常は取り付けられている。アクチュエータは、排出弁及び如何なる対応しているポンプ手段を操作する為の手段及びそこを通って流体又は液体製品が噴霧として排出される出口を含む。従来のアクチュエータは一般的に、出口に向かい導かれている導管を備えていて、導管は排出弁と流体連結している。一般的に、使用者は、弁及び如何なる対応しているポンプ手段を操作する為にアクチュエータを押し、そして従って、噴霧の形状でアクチュエータの出口を介し流体又は製品を排出する。
【０００４】
液体小滴の微細な霧を備えている噴霧を形成することが非常にしばしば望まれている。従来は、従って、排出装置は、流体又は液体製品をそれが噴霧として排出される以前に小滴へと霧状にする為の手段を含む。流体又は液体製品を霧状にする好適な方法は、製造中にアクチュエータの出口内に適合された流れ変更挿入物又はノズルである。使用時において、流体又は液体製品は、噴霧としてアクチュエータの出口を出る以前に流れ変更挿入物又はノズルを通過して流れる。典型的には、変更挿入物又はノズルは流体又は液体製品内に渦巻を形成するよう作用して、流体又は液体製品の霧状化を生じさせるとともに液体小滴の微細な霧を備えている噴霧を形成する。噴霧のパターンは典型的にはアクチュエータボタン内に位置付けされている分離挿入物又はノズルにより提供されている。
【０００５】
しかしながら、流れ変更挿入物又はノズルは一般的に相対的に複雑な構造であるので、このような流れ変更挿入物又はノズルを含んでいるアクチュエータキャップは従来は２つの構成要素として製造され、その後に製造ラインにおいて共に組み立てられる。流れ変更挿入物又はノズルの存在は、従って製造のコストを大きく増大させている。
【０００６】
噴霧性能を犠牲にすることなく投資額及び製造ユニットのコストを低下させる必要が存在している。噴霧分解を創出する為に要求されている構成要素の複雑さを減少させるとともに噴霧分解を創出する為に要求されている構成要素の数を減少させるという必要性もまた存在している。
【０００７】
さらに、噴霧システムが詰まる欠点を減少させる一方で、構成要素又は製造コストの追加無しで従来の単純な非機械式分解噴霧システムにおける水を基礎にしている処方の噴霧性能を向上させる必要性が存在している。
【発明の概要】
【０００８】
単一の単純な構成要素を伴っている噴霧アクチュエータの出口において渦巻流れを誘因する流体流れ路を有する噴霧アクチュエータが提供される。
【０００９】
幾つかの実施形態においては、流体流れ路が、追加の構成要素の必要性無しで弁ステムとアクチュエータとの間に、創出されている。
【００１０】
これらの実施形態の両方は、設計を製造する為に要求されている投資額を減少させるとともに製造する為のコストもまた減少させる。従来の流路よりもより単純でより大きな流れにより、この開示の種々の実施形態は、例えば、溶解していない処方成分又は粗末な家庭の粒子による汚染のお蔭による流路が詰まる傾向を減少させる。
【００１１】
この開示は、加圧されているエアゾール缶／弁及び／又は霧又はトリガーポンプ及び／又は加圧されている噴霧器と関連している噴霧アクチュエータにおける使用を発見する。あるいは、この開示は、噴霧を創出する為か複雑さを大きく減少させて対応しているアクチュエータの投資及び製造コストを大きく減少させる為のアクチュエータの必要性を予め含むことが出来るエアゾール弁ステム中に組み込まれることが出来る。
【００１２】
この開示の上に記載されている及び他の特徴及び利点は、以下の詳細な記載，図面，そして添付されている請求項から、当該技術分野において習熟している人々により認められそして理解される。
【図面の簡単な説明】
【００１３】
【図１】図１は、渦巻と噴霧パターンとを発生させる為の接線方向供給を提供する入口路に対し直角である排出路を有しているこの開示に従っている渦巻発生ステムの例示的な実施形態を図示している。
【図２】図２は、接線方向供給孔を有しているステムの例示的な実施形態を図示している。
【図３】図３は、図２のステムの噴霧パターンを図示している。
【図４】図４は、図２のステムの噴霧パターンを図示している。
【図５】図５は、図２のステムの噴霧パターンを図示している。
【図６】図６は、図２のステムの噴霧パターンを図示している。
【図７】図７は、図２のステムの噴霧パターンを図示している。
【図８】図８は、この開示に従っている渦巻発生システムのもう１つの例示的な実施形態を図示している。
【図９】図９は、ドームキャップにおいて図示されている、この開示に従っている渦巻発生システムのもう１つの例示的な実施形態を図示している。
【図１０】図１０は、ドームキャップにおいて図示されている、この開示に従っている渦巻発生システムのもう１つの例示的な実施形態を図示している。
【図１１】図１１は、ドームキャップにおいて図示されている、この開示に従っている渦巻発生システムのもう１つの例示的な実施形態を図示している。
【図１２】図１２は、ドームキャップにおいて図示されている、この開示に従っている渦巻発生システムのもう１つの例示的な実施形態を図示している。
【図１３】図１３は、ドームキャップにおいて図示されている、この開示に従っている渦巻発生システムのもう１つの例示的な実施形態を図示している。
【図１４】図１４は、ドームキャップにおいて図示されている、この開示に従っている渦巻発生システムのもう１つの例示的な実施形態を図示している。
【図１５】図１５は、ドームキャップにおいて図示されている、この開示に従っている渦巻発生システムのもう１つの例示的な実施形態を図示している。
【図１６】図１６は、ドームキャップにおいて図示されている、この開示に従っている渦巻発生システムのもう１つの例示的な実施形態を図示している。
【図１７】図１７は、ドームキャップにおいて図示されている、この開示に従っている渦巻発生システムのもう１つの例示的な実施形態を図示している。
【図１８】図１８は、ドームキャップにおいて図示されている、この開示に従っている２重渦巻発生システムのもう１つの例示的な実施形態を図示している。
【図１９】図１９は、ドームキャップにおいて図示されている、この開示に従っている２重渦巻発生システムのもう１つの例示的な実施形態を図示している。
【図２０】図２０は、ドームキャップにおいて図示されている、この開示に従っている２重渦巻発生システムのもう１つの例示的な実施形態を図示している。
【図２１】図２１は、ドームキャップにおいて図示されている、この開示に従っている２重渦巻発生システムのもう１つの例示的な実施形態を図示している。
【図２２】図２２は、ドームキャップにおいて図示されている、この開示に従っている２重渦巻発生システムのもう１つの例示的な実施形態を図示している。
【図２３】図２３は、ドームキャップにおいて図示されている、この開示に従っている２重渦巻発生システムのもう１つの例示的な実施形態を図示している。
【図２４】図２４は、ドームキャップにおいて図示されている、この開示に従っている２重渦巻発生システムのもう１つの例示的な実施形態を図示している。
【図２５】図２５は、ドームキャップにおいて図示されている、この開示に従っている２重渦巻発生システムのもう１つの例示的な実施形態を図示している。
【図２６】図２６は、ドームキャップにおいて図示されている、この開示に従っている２重渦巻発生システムのもう１つの例示的な実施形態を図示している。
【図２７】図２７は、この開示に従っている渦巻発生システムの代わりの例示的な実施形態を図示している。
【図２８】図２８は、この開示に従っている渦巻発生システムの代わりの例示的な実施形態を図示している。
【図２９】図２９は、この開示に従っている渦巻発生システムの代わりの例示的な実施形態を図示している。
【図３０】図３０は、この開示に従っている渦巻発生システムの代わりの例示的な実施形態を図示している。
【図３１】図３１は、この開示に従っている渦巻発生システムの代わりの例示的な実施形態を図示している。
【図３２】図３２は、この開示に従っている渦巻発生システムの代わりの例示的な実施形態を図示している。
【図３３】図３３は、この開示に従っている渦巻発生システムの代わりの例示的な実施形態を図示している。
【図３４】図３４は、この開示に従っている渦巻発生システムのもう１つの代わりの例示的な実施形態を図示している。
【図３５】図３５は、この開示に従っている渦巻発生システムのもう１つの代わりの例示的な実施形態を図示している。
【図３６】図３６は、この開示に従っている渦巻発生システムのもう１つの代わりの例示的な実施形態を図示している。
【図３７】図３７は、この開示に従っている渦巻発生システムのもう１つの代わりの例示的な実施形態を図示している。
【図３８】図３８は、この開示に従っている渦巻発生システムのもう１つの代わりの例示的な実施形態を図示している。
【図３９】図３９は、この開示に従っている渦巻発生システムのもう１つの代わりの例示的な実施形態を図示している。
【図４０】図４０は、この開示に従っている渦巻発生システムのもう１つの代わりの例示的な実施形態を図示している。
【図４１】図４１は、この開示に従っている渦巻発生システムのもう１つの代わりの例示的な実施形態を図示している。
【図４２】図４２は、この開示に従っている渦巻発生システムのもう１つの代わりの例示的な実施形態を図示している。
【図４３】図４３は、この開示に従っている渦巻発生システムのもう１つの代わりの例示的な実施形態を図示している。
【図４４】図４４は、この開示に従っている渦巻発生システムのもう１つの代わりの例示的な実施形態を図示している。
【図４５】図４５は、この開示に従っている渦巻発生システムのもう１つの代わりの例示的な実施形態を図示している。
【図４６】図４６は、この開示に従っている渦巻発生システムのもう１つの代わりの例示的な実施形態を図示している。
【図４７】図４７は、この開示に従っている渦巻発生システムのもう１つの代わりの例示的な実施形態を図示している。
【図４８】図４８は、この開示に従っている渦巻発生システムのもう１つの代わりの例示的な実施形態を図示している。
【図４９】図４９は、この開示に従っている渦巻発生システムのもう１つの代わりの例示的な実施形態を図示している。
【図５０】図５０は、この開示に従っている渦巻発生システムのもう１つの代わりの例示的な実施形態を図示している。
【図５１】図５１は、この開示に従っている渦巻発生システムのもう１つの代わりの例示的な実施形態を図示している。
【図５２】図５２は、この開示に従っている渦巻発生システムのもう１つの代わりの例示的な実施形態を図示している。
【図５３】図５３は、この開示に従っている渦巻発生システムのもう１つの代わりの例示的な実施形態を図示している。
【図５４】図５４は、この開示に従っている渦巻発生システムのもう１つの代わりの例示的な実施形態を図示している。
【図５５】図５５は、この開示に従っている、開示されている方法において渦巻を発生させるのに失敗したシステムを図示している。
【図５６】図５６は、この開示に従っている、開示されている方法において渦巻を発生させるのに失敗したシステムを図示している。
【図５７】図５７は、この開示に従っている、開示されている方法において渦巻を発生させるのに失敗したシステムを図示している。
【図５８】図５８は、この開示に従っている、開示されている方法において渦巻を発生させるのに失敗したシステムを図示している。
【図５９】図５９は、この開示に従っている、開示されている方法において渦巻を発生させるのに失敗したシステムを図示している。
【図６０】図６０は、この開示に従っている、開示されている方法において渦巻を発生させるのに失敗したシステムを図示している。
【図６１】図６１は、この開示に従っている、開示されている方法において渦巻を発生させるのに失敗したシステムを図示している。
【図６２】図６２は、この開示に従っている渦巻発生システムのもう１つの代わりの例示的な実施形態を図示している。
【図６３】図６３は、この開示に従っている渦巻発生システムのもう１つの代わりの例示的な実施形態を図示している。
【図６４】図６４は、この開示に従っている渦巻発生システムのもう１つの代わりの例示的な実施形態を図示している。
【図６５】図６５は、この開示に従っている渦巻発生システムのもう１つの代わりの例示的な実施形態を図示している。
【図６６】図６６は、この開示に従っている渦巻発生システムのもう１つの代わりの例示的な実施形態を図示している。
【図６７】図６７は、この開示に従っている渦巻発生システムのもう１つの代わりの例示的な実施形態を図示している。
【図６８】図６８は、この開示に従っている渦巻発生システムのもう１つの代わりの例示的な実施形態を図示している。
【図６９】図６９は、この開示に従っている渦巻発生システムのもう１つの代わりの例示的な実施形態を図示している。
【図７０】図７０は、この開示に従っている渦巻発生システムのもう１つの代わりの例示的な実施形態を図示している。
【図７１】図７１は、この開示に従っている渦巻発生システムのもう１つの代わりの例示的な実施形態を図示している。
【図７２】図７２は、この開示に従っている渦巻発生システムのもう１つの代わりの例示的な実施形態を図示している。
【図７３】図７３は、この開示に従っている渦巻発生システムのもう１つの代わりの例示的な実施形態を図示している。
【図７４】図７４は、この開示に従っている渦巻発生システムのもう１つの代わりの例示的な実施形態を図示している。
【図７５】図７５は、この開示に従っている渦巻発生システムのもう１つの代わりの例示的な実施形態を図示している。
【図７６】図７６は、この開示に従っている渦巻発生システムのもう１つの代わりの例示的な実施形態を図示している。
【図７７】図７７は、この開示に従っている渦巻発生システムのもう１つの代わりの例示的な実施形態を図示している。
【図７８】図７８は、この開示に従っている渦巻発生システムのもう１つの代わりの例示的な実施形態を図示している。
【図７９】図７９は、この開示に従っている渦巻発生システムのもう１つの代わりの例示的な実施形態を図示している。
【図８０】図８０は、この開示に従っている渦巻発生システムのもう１つの代わりの例示的な実施形態を図示している。
【図８１】図８１は、この開示に従っている渦巻発生システムのもう１つの代わりの例示的な実施形態を図示している。
【図８２】図８２は、この開示に従っている渦巻発生システムのもう１つの代わりの例示的な実施形態を図示している。
【図８３】図８３は、この開示に従っている渦巻発生システムのさらにもう１つの代わりの例示的な実施形態を図示している。
【図８４】図８４は、この開示に従っている渦巻発生システムのさらにもう１つの代わりの例示的な実施形態を図示している。
【図８５】図８５は、この開示に従っている渦巻発生システムのさらにもう１つの代わりの例示的な実施形態を図示している。
【図８６】図８６は、この開示に従っている渦巻発生システムのさらにもう１つの代わりの例示的な実施形態を図示している。
【図８７】図８７は、この開示に従っている渦巻発生システムのさらにもう１つの代わりの例示的な実施形態を図示している。
【図８８】図８８は、この開示に従っている渦巻発生システムのさらなる例示的な実施形態を図示している。
【図８９】図８９は、この開示に従っている渦巻発生システムのさらなる例示的な実施形態を図示している。
【図９０】図９０は、この開示に従っている渦巻発生システムのさらなる例示的な実施形態を図示している。
【図９１】図９１は、この開示に従っている渦巻発生システムのさらなる例示的な実施形態を図示している。
【図９２】図９２は、この開示に従っている渦巻発生システムのさらなる例示的な実施形態を図示している。
【図９３】図９３は、この開示に従っている渦巻発生システムのさらなる例示的な実施形態を図示している。
【図９４】図９４は、この開示に従っている渦巻発生システムのさらなる例示的な実施形態を図示している。
【図９５】図９５は、この開示に従っている渦巻発生システムのよりさらなる例示的な実施形態を図示している。
【図９６】図９６は、この開示に従っている渦巻発生システムのよりさらなる例示的な実施形態を図示している。
【図９７】図９７は、この開示に従っている渦巻発生システムのよりさらなる例示的な実施形態を図示している。
【図９８】図９８は、この開示に従っている渦巻発生システムのよりさらなる例示的な実施形態を図示している。
【図９９】図９９は、この開示に従っている渦巻発生システムのよりさらなる例示的な実施形態を図示している。
【図１００】図１００は、この開示に従っている渦巻発生システムのよりさらなる例示的な実施形態を図示している。
【図１０１】図１０１は、この開示に従っている渦巻発生システムのよりさらなる例示的な実施形態を図示している。
【図１０２】図１０２は、この開示に従っている渦巻発生システムのもう１つのさらなる例示的な実施形態を図示している。
【図１０３】図１０３は、この開示に従っている渦巻発生システムのもう１つのさらなる例示的な実施形態を図示している。
【図１０４】図１０４は、この開示に従っている渦巻発生システムのもう１つのさらなる例示的な実施形態を図示している。
【図１０５】図１０５は、この開示に従っている渦巻発生システムのもう１つのさらなる例示的な実施形態を図示している。
【図１０６】図１０６は、この開示に従っている渦巻発生システムのもう１つのさらなる例示的な実施形態を図示している。
【図１０７】図１０７は、この開示に従っている渦巻発生システムのさらにもう１つのさらなる例示的な実施形態を図示している。
【図１０８】図１０８は、この開示に従っている渦巻発生システムのさらにもう１つのさらなる例示的な実施形態を図示している。
【図１０９】図１０９は、この開示に従っている渦巻発生システムのさらにもう１つのさらなる例示的な実施形態を図示している。
【図１１０】図１１０は、この開示に従っている渦巻発生システムのさらにもう１つのさらなる例示的な実施形態を図示している。
【図１１１】図１１１は、この開示に従っている渦巻発生システムのさらにもう１つのさらなる例示的な実施形態を図示している。
【図１１２】図１１２は、この開示に従っている渦巻発生システムの例示的な実施形態を図示している。
【図１１３】図１１３は、この開示に従っている渦巻発生システムの例示的な実施形態を図示している。
【図１１４】図１１４は、この開示に従っている渦巻発生システムの例示的な実施形態を図示している。
【図１１５】図１１５は、この開示に従っている渦巻発生システムの例示的な実施形態を図示している。
【図１１６】図１１６は、この開示に従っている渦巻発生システムの例示的な実施形態を図示している。
【図１１７】図１１７は、この開示に従っている渦巻発生システムの代わりの例示的な実施形態を図示している。
【図１１８】図１１８は、この開示に従っている渦巻発生システムの代わりの例示的な実施形態を図示している。
【図１１９】図１１９は、この開示に従っている渦巻発生システムの代わりの例示的な実施形態を図示している。
【図１２０】図１２０は、この開示に従っている渦巻発生システムの代わりの例示的な実施形態を図示している。
【図１２１】図１２１は、この開示に従っている渦巻発生システムの代わりの例示的な実施形態を図示している。
【図１２２】図１２２は、この開示に従っている渦巻発生システムのもう１つの代わりの例示的な実施形態を図示している。
【図１２３】図１２３は、この開示に従っている渦巻発生システムのもう１つの代わりの例示的な実施形態を図示している。
【図１２４】図１２４は、この開示に従っている渦巻発生システムのもう１つの代わりの例示的な実施形態を図示している。
【図１２５】図１２５は、この開示に従っている渦巻発生システムのもう１つの代わりの例示的な実施形態を図示している。
【図１２６】図１２６は、この開示に従っている渦巻発生システムのもう１つの代わりの例示的な実施形態を図示している。
【図１２７】図１２７は、この開示に従っている渦巻発生システムのもう１つの代わりの例示的な実施形態を図示している。
【図１２８】図１２８は、この開示に従っている渦巻発生システムのもう１つの代わりの例示的な実施形態を図示している。
【図１２９】図１２９は、この開示に従っている渦巻発生システムのもう１つの代わりの例示的な実施形態を図示している。
【図１３０】図１３０は、この開示に従っている渦巻発生システムのもう１つの代わりの例示的な実施形態を図示している。
【図１３１】図１３１は、この開示に従っている渦巻発生システムのもう１つの代わりの例示的な実施形態を図示している。
【図１３２】図１３２は、この開示に従っている渦巻発生システムのもう１つの代わりの例示的な実施形態を図示している。
【図１３３】図１３３は、この開示に従っている渦巻発生システムのもう１つの代わりの例示的な実施形態を図示している。
【図１３４】図１３４は、この開示に従っている渦巻発生システムのもう１つの代わりの例示的な実施形態を図示している。
【図１３５】図１３５は、この開示に従っている渦巻発生システムのもう１つの代わりの例示的な実施形態を図示している。
【図１３６】図１３６は、この開示に従っている渦巻発生システムのもう１つの代わりの例示的な実施形態を図示している。
【図１３７】図１３７は、この開示に従っている渦巻発生システムのもう１つの代わりの例示的な実施形態を図示している。
【図１３８】図１３８は、この開示に従っている渦巻発生システムのもう１つの代わりの例示的な実施形態を図示している。
【図１３９】図１３９は、この開示に従っている渦巻発生システムのもう１つの代わりの例示的な実施形態を図示している。
【図１４０】図１４０は、この開示に従っている渦巻発生システムのもう１つの代わりの例示的な実施形態を図示している。
【図１４１】図１４１は、この開示に従っている渦巻発生システムのもう１つの代わりの例示的な実施形態を図示している。
【図１４２】図１４２は、この開示に従っている渦巻発生システムのもう１つの代わりの例示的な実施形態を図示している。
【図１４３】図１４３は、この開示に従っている渦巻発生システムのもう１つの代わりの例示的な実施形態を図示している。
【図１４４】図１４４は、この開示に従っている渦巻発生システムのもう１つの代わりの例示的な実施形態を図示している。
【図１４５】図１４５は、この開示に従っている渦巻発生システムのもう１つの代わりの例示的な実施形態を図示している。
【図１４６】図１４６は、この開示に従っている渦巻発生システムのもう１つの代わりの例示的な実施形態を図示している。
【図１４７】図１４７は、この開示に従っている渦巻発生システムのもう１つの代わりの例示的な実施形態を図示している。
【図１４８】図１４８は、この開示に従っている渦巻発生システムのもう１つの代わりの例示的な実施形態を図示している。
【図１４９】図１４９は、この開示に従っている渦巻発生システムのもう１つの代わりの例示的な実施形態を図示している。
【発明を実施するための形態】
【００１４】
この開示は、噴霧アクチュエータを通過する流体上に渦巻効果を提供する為に異なった幾何学的形状を好ましくは使用する。幾何学的形状は、別の組み立てられている挿入物の使用無しで、流体の嵩張った容量をシートへと分解し，結束し（ligament）、そして最終的には噴霧小滴を創出する。好ましくは、この開示の幾何学的形状は、投資のコスト及び構成要素の製造のコストを全体として減少させる、単一プラスチック成型内で形成されることが出来る。
【００１５】
１つの実施形態においては、流体又は液体製品を噴霧の形状で排出する為のシステム及び装置が提供される。前記システム又は装置は、排出路と少なくとも１つの入口路とを備えていて、前記排出路及び前記少なくとも１つの入口路は、前記少なくとも１つの入口路が前記排出路中へと前記渦巻及び噴霧パターンを創出するよう流体の接線方向供給を提供することが出来るよう、互いに配置されている。排出路中への流体の接線方向供給は、実際には、排出路の出口部分への流体の激しい流れを生じさせる。
【００１６】
この開示に従っているシステム及び装置は、排出路中への流体の予行方向供給が、使用時において、流れ変更挿入物又はノズル又は如何なる他の追加構成要素の必要無しで、激しい流れを生じさせるので、第１には好ましい。このシステム及び装置は従って単一の構成要素として形成されているアクチュエータを備え、それによりこのようなシステム及び装置の為の製造コストを大きく減少させる。
【００１７】
入口路は好ましくはチューブ形状であり、そして最も好ましくは略円筒形状である。入口通路の長手方向中心線は従って、使用の間に入口に沿い流体又は液体製品の流れの方向と好ましくは一致している。
【００１８】
排出路は好ましくはチューブ形状であって、そして最も好ましくは略円筒形状である。入口路からの入口開口は好ましくは円形又は長円形状である。システム又は装置の入口路及び排出路は互いに角度が付けられていることが出来る。例えば、入口路及び排出路は互いに略直角に向けられていることが出来る。排出路の長さは所望の噴霧特性に従い選択され、そして排出路は入口開口に対し増大された横断面積の出口開口を導く徐々に増大されている横断面積寸法の端部分を含んで良い。
【００１９】
入口路及び排出路は好ましくは流体又は液体製品内に渦巻を形成するよう適用されている。好適な形態においては、排出路及び少なくとも１つの入口路は、少なくとも１つの入口路が渦巻及び噴霧パターンを発生させるのに十分な排出路中への流体の接線方向供給を提供することを可能にするよう互いに配置されている。
【００２０】
この開示のシステム又は排出装置は好ましくは、流体又は液体製品を貯蔵する容器の排出弁を操作する為のアクチュエータの一部を形成している。システム又は排出装置は従って好ましくは、流体又は液体製品を貯蔵する為の容器と、動作された時に圧力下で流体又は液体製品がそこを通って解放される弁出口を有している排出弁と、そして入口路が弁出口と連通するよう排出弁と係合されているアクチュエータと、を備えている。
【００２１】
容器及び排出弁はともに、圧力下で流体又は液体製品がその中に貯蔵されている従来のエアゾール容器の形状を有している。あるいは、排出弁は、圧力下で排出弁を介し流体又は液体製品を付勢する為のポンプ手段を含んで良い。如何なる場合においても、しかしながら、排出弁は通常、排出弁の弁出口を押すことにより動作される。
【００２２】
ここで使用された時、用語「渦巻」は、ガスの如き流体における円形，渦巻、又は螺旋の動き、又は流体のこのような動きを意味している。如何なる特定の理論に限定することを望んでおらず、渦巻は低い圧力の領域の周りに形成して流体、そしてその中を動いている物体を、その中心に向かい引き付ける。
【００２３】
今度は図面を参照すると、図１は、この記載に従っている渦巻発生ステムの例示的な実施形態を図示している。渦巻発生ステムは、入口路に対し直角である排出路を有する。入口路は、渦巻及び噴霧パターンを発生するよう接線方向供給を提供する。
【００２４】  図２は、（公序良俗違反につき、不掲載）標準長さ排出路を図示している。複数の供給孔が、排出路の内直径に対し接線方向に穴あけされている。
【００２５】  図３乃至図７は、図２のステムの噴霧パターンを図示している。図３は（公序良俗違反につき、不掲載）型噴霧パターンを図示している。図４は、（延出されている排出路を伴っている）（公序良俗違反につき、不掲載）型噴霧パターンを図示している。延出されている排出路は噴霧流れから回転エネルギーを抽出し、噴霧錐角を狭める。図５は、排出出口直径を減少させる為にテーパ付けされている挿入物を伴っていることを除き、図４中の如き（延出されている排出路を伴っている）（公序良俗違反につき、不掲載）型噴霧パターンを図示している。この装置効果は、より短い排出路のものに近く噴霧錐角を広げる速度における上昇である。図６は、湾曲している排出路噴霧パターンを図示している。図７は、さらに湾曲されている排出路を図示している。排出路における回転動作が示されている。
【００２６】
図８は、この開示に従っている渦巻発生システムのもう１つの例示的な実施形態を図示している。
【００２７】
図９から図１７は、ドームキャップにおいて図示されている、この開示に従っている渦巻発生システムのもう１つの例示的な実施形態を図示している。図９は、ドーム例における扇形渦巻幾何学的形状を図示している。図１０は、４つの入口／出口及び傾斜面を伴っている扇形渦巻幾何学形状の内容積の斜視図である。図１１は、４つの入口，傾斜面，そして中央柱を示している扇形渦巻幾何学形状の内容積の正面図である。４つの「扇羽根」間の隙間に関しては、これは型分割線の上方及び下方の型の２つの半分から鋼に重複していることにより創出されている。図１２は、４つの入口，傾斜面，そして中央柱をしめしている扇形渦巻幾何学形状の内容積の裏面図である。図１３は、入口，傾斜面，そして中央柱を示している扇形渦巻幾何学形状の内容積の側面図である。図１４は、４つの出口，傾斜面，そして中央柱を伴っている正面図を図示している扇形渦巻の光が当てられている型（model）の図である。図１５は、コンピュータによる流体力学（Computational Fluid Dynamics：ＣＦＤ）調査における扇形渦巻の内容積を示している側面図である。図１６は、ＣＦＤ調査における扇形渦巻の流体の流れを示している透過側面図である。図１７は、ＣＦＤ調査における扇形渦巻の流体の流れを示しているワイヤーフレーム側面図である。
【００２８】
図１８から図２６は、ドームキャップにおいて図示されている、この開示に従っている２重渦巻発生システムのもう１つの例示的な実施形態を図示している。図１８は、ドーム例における２重渦巻幾何学的形状を図示している。図１９は、２つの入口／出口及び傾斜面を伴っている２重傾斜渦巻幾何学的形状の内容積の斜視図である。これは、２つの「羽根」を伴った時のみの前に図示されていた設計と同様である。図１９は、流体流れに向かう羽根の螺旋角度をより明確に示している。図２０は、２つの出口，傾斜面，そして中央柱を示している２重傾斜面渦巻幾何学的形状の内容積の正面図である。それは、２つの部位の型操作から複数の開口を有する為に設計されている領域の為に企画されている。図２１は、２つの入口，傾斜面，そして中央柱を示している２重傾斜面渦巻幾何学的形状の内容積の底面図である。図２２は、入口，傾斜面，そして中央柱を示している２重傾斜面渦巻幾何学的形状の内容積の側面図である。図２３は、２つの出口，傾斜面，そして中央柱を伴っている正面図を図示している２重傾斜面渦巻の光が当てられている型（model）の図である。図２４は、ＣＦＤ調査における２重傾斜面渦巻の内容量を示している側面図。図２５は、ＣＦＤ調査における２重傾斜面渦巻の流体の流れを示している透過側面図である。図２６は、ＣＦＤ調査における２重傾斜面渦巻の流体の流れを示しているワイヤーフレーム側面図である。
【００２９】
図２７は、この開示に従っている渦巻発生システムの代わりの例示的な実施形態を図示している。詳細には、図２７はステム例における中心線位置がずれている渦巻幾何学的形状である。
【００３０】
図２８から図３３は、この開示に従っている渦巻発生システムのもう１つの代わりの例示的な実施形態を図示している。図２８は、２つの入口を伴っているＳ９０ステム渦巻幾何学的形状の内容積の斜視図である。複数の側孔以下のこの幾何学的形状は、流体回転行動において非常に影響することが出来る。図２９は、中心位置がずれている対向している位置での２つの入口を示しているＳ９０ステム渦巻幾何学的形状の内容積の側面図である。図３０は、中心位置がずれている対向している位置での２つの入口を示しているＳ９０ステム渦巻幾何学的形状の内容積の裏面図である。図３１は、取り付けられているハウジングを伴っているＣＦＤ調査におけるＳ９０ステム渦巻の内容積を示している斜視図である。図３２は、ＣＦＤ調査におけるＳ９０ステム渦巻の流体の流れを示している透過斜視図である。図３３は、ＣＦＤ調査におけるＳ９０ステム渦巻の流体の流れを示しているワイヤーフレーム斜視図である。
【００３１】
図３４から図４０は、この開示に従っている渦巻発生システムのもう１つの代わりの例示的な実施形態を図示している。図３４は、ボタン例における水平な又はわずかに角度付けされている渦巻幾何学的形状である。図３５は、水平な又はわずかに角度付けされているボタン渦巻幾何学的形状の内容積の斜視図である。図３６は、水平な又はわずかに角度付けされているボタン渦巻幾何学的形状の内容積の側面図である。傾斜している輪郭上へのこの供給は代わりの実施形態である一方で、その設計はそんなに複雑である必要がなく、そして供給は平坦な孔中に接線方向から出来る。図３７は、水平な又はわずかに角度付けされているボタン渦巻幾何学的形状の内容積の裏面図である。図３８は、ＣＦＤ調査におけるボタン内の水平な渦巻の内容量を示している斜視図である。図３９は、ＣＦＤ調査におけるボタン内の水平な渦巻の流体の流れを示している透過斜視図である。図４０は、ＣＦＤ調査におけるボタン内の水平な渦巻の流体の流れを示しているワイヤーフレーム斜視図である。
【００３２】
図４１から図４７は、この開示に従っている渦巻発生システムのもう１つの代わりの例示的な実施形態を図示している。図４１は、アクチュエータ例における水平な長いチューブ状渦巻である。図４２は、アクチュエータ例における水平な長いチューブ状渦巻の内容量の斜視図である。図４３は、アクチュエータ例における水平な長いチューブ状渦巻の内容量の側面図である。図４４は、アクチュエータ例における水平な長いチューブ状渦巻の内容量の裏面図である。図４５は、ＣＦＤ調査におけるアクチュエータ例での水平な長いチューブ状渦巻の内容量を示している斜視図である。図４６は、ＣＦＤ調査におけるアクチュエータでの水平な長いチューブ状渦巻の流体の流れを示している透過斜視図である。図４７は、ＣＦＤ調査におけるアクチュエータでの水平な長いチューブ状渦巻の流体の流れを示しているワイヤーフレーム斜視図である。
【００３３】
図４８から図５４は、この開示に従っている渦巻発生システムのもう１つの代わりの例示的な実施形態を図示している。図４８は、５Ｘテスト設備（fixture）における中心位置がずれている渦巻幾何学的形状である。図４９は、５Ｘテスト設備（fixture）における中心位置がずれている渦巻幾何学的形状の内容量の斜視図である。図５０は、５Ｘテスト設備（fixture）における中心位置がずれている渦巻幾何学的形状の内容量の側面図である。図５１は、５Ｘテスト設備（fixture）における中心位置がずれている渦巻幾何学的形状の内容量の裏面図である。図５２は、ＣＦＤ調査における５Ｘテスト設備（fixture）での中心位置がずれている渦巻幾何学的形状の内容量を示している斜視図である。図５３は、ＣＦＤ調査における５Ｘテスト設備（fixture）での中心位置がずれている渦巻幾何学的形状の流体の流れを示している透過図である。図５４は、ＣＦＤ調査における５Ｘテスト設備（fixture）での中心位置がずれている渦巻幾何学的形状の流体の流れを示しているワイヤーフレーム図である。
【００３４】
図５５から図６１は、この開示に従っている開示されている方法での渦巻の発生に失敗したシステムを図示している。図５５は、中心線上に中央ピン及び入口孔を伴っているテスト設備（fixture）の横断面図である。図５５中に示されている設計は、創出された渦巻が無く、そして誘起された噴霧が無い。図５５から図６１は、誘導されない接線方向流れが噴霧パターンを創出しないことを示している。図５６は、中心線上に中央ピン及び入口孔を伴っているテスト設備（fixture）の内容量の斜視図である。図５７は、中心線上に中央ピン及び入口孔を伴っているテスト設備（fixture）の内容量の側面図である。図５８は、中心線上に中央ピン及び入口孔を伴っているテスト設備（fixture）の内容量の上面図である。図５９は、ＣＦＤ調査における中心線上に中央ピン及び入口孔を伴っているテスト設備（fixture）の内容量である。図６０は、ＣＦＤ調査における早期のテスト設備（fixture）の流体の流れを示している透過斜視図である。図６１は、ＣＦＤ調査における早期のテスト設備（fixture）の流体の流れを示しているワイヤーフレーム斜視図である。
【００３５】
図６２から図６８は、この開示に従っている渦巻発生システムのもう１つの代わりの例示的な実施形態を図示している。図６２は、中央ピンが無く中心線から位置ずれしている入口孔を伴っている修正されたテスト設備の横断面図である。図６３は、中央ピンが無く中心線から位置ずれしている入口孔を伴っている修正されたテスト設備の内容量の斜視図である。図６４は、中央ピンが無く中心線から位置ずれしている入口孔を伴っている修正されたテスト設備の内容量の側面図である。図６５は、中央ピンが無く中心線から位置ずれしている入口孔を伴っている修正されたテスト設備の内容量の上面図である。図６６は、ＣＦＤ調査における中央ピンが無く中心線から位置ずれしている入口孔を伴っている修正されたテスト設備の内容量を図示している。図６７は、ＣＦＤ調査における修正されたテスト設備の流体の流れを示している透過斜視図である。図６８は、ＣＦＤ調査における修正されたテスト設備の流体の流れを示しているワイヤーフレーム斜視図である。
【００３６】
図６９から図７５は、この開示に従っている渦巻発生システムのもう１つの代わりの例示的な実施形態を図示している。図６９は、２つの入口／出口，そして傾斜面を伴っている垂直なテスト設備の横断面図である。図７０は、２つの入口／出口，そして傾斜面を伴っている垂直なテスト設備の内容積の斜視図である。図７１は、２つの入口／出口，そして傾斜面を伴っている垂直なテスト設備の内容積の側面図である。図７２は、２つの入口／出口，そして傾斜面を伴っている垂直なテスト設備の内容積の底面図である。図７３は、ＣＦＤ調査における２つの入口／出口，そして傾斜面を伴っている垂直なテスト設備の内容積を図示している。図７４は、ＣＦＤ調査における２つの入口／出口，そして傾斜面を伴っている垂直なテスト設備の流体の流れを示している透過斜視図である。図７５は、ＣＦＤ調査における２つの入口／出口，そして傾斜面を伴っている垂直なテスト設備の流体の流れを示しているワイヤーフレーム斜視図である。
【００３７】
図７６から図８２は、この開示に従っている渦巻発生システムのもう１つの代わりの例示的な実施形態を図示している。図７６は、１つの入口／出口，そして傾斜面を伴っている垂直なテスト設備の横断面図である。図７７は、１つの入口／出口，そして傾斜面を伴っている垂直なテスト設備の内容積の斜視図である。図７８は、１つの入口／出口，そして傾斜面を伴っている垂直なテスト設備の内容積の側面図である。図７９は、１つの入口／出口，そして傾斜面を伴っている垂直なテスト設備の内容積の底面図である。図８０は、ＣＦＤ調査における１つの入口／出口，そして傾斜面を伴っている垂直なテスト設備の内容積を図示している。図８１は、ＣＦＤ調査における１つの入口／出口，そして傾斜面を伴っている垂直なテスト設備の流体の流れを示している透過斜視図である。図８２は、ＣＦＤ調査における１つの入口／出口，そして傾斜面を伴っている垂直なテスト設備の流体の流れを示しているワイヤーフレーム斜視図である。
【００３８】
図８３から図８７は、この開示に従っている渦巻発生システムのさらにもう１つの代わりの例示的な実施形態を図示している。
【００３９】
図８８から図９４は、この開示に従っている渦巻発生システムのさらなる例示的な実施形態を図示している。
【００４０】
図９５から図１０１は、この開示に従っている渦巻発生システムの依然としてさらなる例示的な実施形態を図示している。
【００４１】
図１０２から図１０６は、この開示に従っている渦巻発生システムのもう１つのさらなる例示的な実施形態を図示している。
【００４２】
図１０７から図１１１は、この開示に従っている渦巻発生システムの依然としてもう１つのさらなる例示的な実施形態を図示している。
【００４３】
図１０７から図１１１は、この開示に従っている渦巻発生システムの依然としてもう１つのさらなる例示的な実施形態を図示している。
【００４４】
図１１２から図１４９は、この開示に従っている渦巻創出幾何学的設計の種々の実施形態を図示している。
【００４５】
図１１２から図１１６は、この開示に従っている渦巻発生システムの例示的な実施形態を図示している。このシステムは、排出路及び１対の入口路を含む。排出路は１対の入口路に対し直角であり、そして１対の入口路は所望の渦巻及び噴霧パターンを発生させるよう排出路中に流体の接線方向供給を提供する。
【００４６】
排出路は、最も低い入口路以下の排出路の領域である水溜り（sump）を含む。排出路はまた、排出路の長さに延出した中央案内柱を含む。
【００４７】
図１１２は、ＣＦＤ調査における水溜り形状（feature）と水平な２−孔及び内部案内柱との内容積を図示している。図１１３は、ＣＦＤ調査における図１１２の水溜り形状（feature）と水平な２−孔及び内部案内柱の透過斜視図を図示している。図１１４は、ＣＦＤ調査における図１１２の水溜り形状（feature）と水平な２−孔及び内部案内柱の流体の流れを示しているワイヤーフレーム側面図を図示している。図１１５は、ＣＦＤ調査における図１１２の水溜り形状（feature）と水平な２−孔及び内部案内柱の流体の流れを示しているワイヤーフレーム上面図を図示している。図１１６は、ＣＦＤ調査における図１１２の水溜り形状（feature）と水平な２−孔及び内部案内柱の流体の流れを示しているワイヤーフレーム正面図を図示している。
【００４８】
図１１７から図１２１は、この開示に従っている渦巻発生システムの代わりの例示的な実施形態を図示している。ここで、渦発生システムは図１１２から図１１６に関して上に議論した実施形態と実質的に同様であるが、排出路の長さに延出した中央案内柱は欠いている。
【００４９】
図１１７は、ＣＦＤ調査における、内部案内柱が無く水溜り形状（feature）と水平な２−孔の内容量を図示している。図１１８は、ＣＦＤ調査における、図１１７の内部案内柱が無く水溜り形状（feature）と水平な２−孔の透過斜視図を図示している。図１１９は、ＣＦＤ調査における、図１１７の内部案内柱が無く水溜り形状（feature）と水平な２−孔の流体の流れを示しているワイヤーフレーム側面図を図示している。図１２０は、ＣＦＤ調査における、図１１７の内部案内柱が無く水溜り形状（feature）と水平な２−孔の流体の流れを示しているワイヤーフレーム上面図を図示している。図１２１は、ＣＦＤ調査における、図１１７の内部案内柱が無く水溜り形状（feature）と水平な２−孔の流体の流れを示しているワイヤーフレーム正面図を図示している。
【００５０】
図１２２から図１２６は、この開示に従っている渦巻発生システムの代わりの実施形態を図示している。このシステムはまた、排出路及び入り口を含む。排出路は入口に対し直角である。入口は、所望の渦巻及び噴霧パターンを生じさせるよう排出路中への流体の接線方向供給を提供する３つの入口路を有する。排出路は、最も低い入口路以下の排出路の領域である水溜り（sump）を含む。排出路はまた、排出路の長さに延出した中央案内柱を含む。
【００５１】
図１２２は、ＣＦＤ調査における内部案内柱を伴っている水溜り形状（feature）と水平である３−孔の内容量を図示している。図１２３は、ＣＦＤ調査における、図１２２の水溜り形状（feature）と水平である３−孔及び内部案内柱の透過斜視図を図示している。図１２４は、ＣＦＤ調査における、図１２２の水溜り形状（feature）と水平である３−孔及び内部案内柱の流体の流れを示しているワイヤーフレーム側面図を図示している。図１２５は、ＣＦＤ調査における、図１２２の水溜り形状（feature）と水平である３−孔及び内部案内柱の流体の流れを示しているワイヤーフレーム上面図を図示している。図１２６は、ＣＦＤ調査における、図１２２の水溜り形状（feature）と水平である３−孔及び内部案内柱の流体の流れを示しているワイヤーフレーム裏面図を図示している。
【００５２】
図１２７から図１３１は、この開示に従っている渦巻発生システムの代わりの例示的な実施形態を図示している。ここで、渦巻発生システムは、図１２２から図１２６に関する上で議論された実施形態と実質的に同じであるが、排出路の長さに延出している中央案内柱は欠いている。
【００５３】
図１２７は、ＣＦＤ調査における、内部案内柱が無く水溜り形状（feature）と水平である３−孔の内容量を図示している。図１２８は、ＣＦＤ調査における、図１２７の内部案内柱が無く水溜り形状（feature）と水平である３−孔の透過斜視図を図示している。図１２９は、ＣＦＤ調査における、図１２７の内部案内柱が無く水溜り形状（feature）と水平である３−孔の流体の流れを示しているワイヤーフレーム側面図を図示している。図１３０は、ＣＦＤ調査における、図１２７の内部案内柱が無く水溜り形状（feature）と水平である３−孔の流体の流れを示しているワイヤーフレーム上面図を図示している。図１３１は、ＣＦＤ調査における、図１２７の内部案内柱が無く水溜り形状（feature）と水平である３−孔の流体の流れを示しているワイヤーフレーム裏面図を図示している。
【００５４】
図１３２から図１３６は、この開示に従っている渦巻発生システムのもう１つの代わりの実施形態を図示している。システムは、入口に対し直角である排出路を含み、ここで入口は所望の渦巻及び噴霧パターンを生じさせるよう接線方向供給を提供する楕円（oval）路である。排出路は、楕円入口路の下である排出路の領域である水溜り（sump）を含む。排出路はまた、排出路の長さに延出した中央案内柱を含む。
【００５５】
図１３２は、ＣＦＤ調査における、水溜り形状（feature）と水平な楕円の内容積を図示している。図１３３は、ＣＦＤ調査における、図１３２の水溜り形状（feature）と水平な楕円の透過斜視図を図示している。図１３４は、ＣＦＤ調査における、図１３２の水溜り形状（feature）と水平な楕円の流体の流れを示しているワイヤーフレーム側面図を図示している。隋１３５は、ＣＦＤ調査における、図１３２の水溜り形状（feature）と水平な楕円の流体の流れを示しているワイヤーフレーム上面図を図示している。図１３６は、ＣＦＤ調査における、図１３２の水溜り形状（feature）と水平な楕円の流体の流れを示しているワイヤーフレーム裏面図を図示している。
【００５６】
図１３７から図１４１は、この開示に従っている渦巻発生システムのもう１つの代わりの実施形態を図示している。ここで渦巻発生システムは、図１３２から図１３６に関して上に議論された実施形態と実質的に同じであるが、排出路の長さに延出した中央案内柱を欠いている。
【００５７】
図１３７は、ＣＦＤ調査における、中央案内柱の無い水溜り形状（feature）と水平な楕円の内容積を図示している。図１３８は、ＣＦＤ調査における、図１３７の中央案内柱の無い水溜り形状（feature）と水平な楕円の透過斜視図を図示している。図１３９は、ＣＦＤ調査における、図１３７の中央案内柱の無い水溜り形状（feature）と水平な楕円の流体の流れを示しているワイヤーフレーム側面図を図示している。図１４０は、ＣＦＤ調査における、図１３７の中央案内柱の無い水溜り形状（feature）と水平な楕円の流体の流れを示しているワイヤーフレーム上面図を図示している。図１４１は、ＣＦＤ調査における、図１３７の中央案内柱の無い水溜り形状（feature）と水平な楕円の流体の流れを示しているワイヤーフレーム裏面図を図示している。
【００５８】
この記載に従っている渦巻発生システムは、互いに直角である排出路と入口路とを有している図１１２から図１４１に関し例のみとして開示されていたことを認識すべきである。もちろん、所望の渦巻及び噴霧パターンを発生させるよう入口路が流体を排出路中に接線方向に導入する限りにおいて排出路と入口路とは互いに関し如何なる所望の角度で配置されることを、この開示では意図されている。
【００５９】
互いに関し角度付けされている排出路及び入口路を有しているこの開示に従っている渦巻発生システムの実施形態の一例が図１４２から図１４５中に図示されている。
【００６０】
図１４２は、ＣＦＤ調査における、水溜り形状（feature）と４５°である２−孔の内容積を図示している。図１４３は、ＣＦＤ調査における、図１４２の水溜り形状（feature）と４５°である２−孔の内容積を図示している。図１４４は、ＣＦＤ調査における、図１４２の水溜り形状（feature）と４５°である２−孔の流体の流れを示している透過側面図を図示している。図１４５は、ＣＦＤ調査における、図１４２の水溜り形状（feature）と４５°である２−孔の流体の流れを示している透過前面図を図示している。
【００６１】
この実施形態においては、システムは、排出路及び４５°で排出路に関し角度付けされている１対の入口路を含む。入口路は、所望の渦巻及び噴霧パターンを発生させるよう接線方向供給を提供する。排出路は、最も下の入口路以下の排出路の領域である水溜り（sump）を含む。排出路はまた、排出路の長さを延出した中央案内柱を含む。
【００６２】
図１４６から図１４９は、この開示に従っている渦巻発生システムの代わりの例示的な実施形態を図示している。ここで、渦巻発生システムは、図１４２から図１４５に関し上に議論された実施形態と実質的に同じであるが、排出路の長さに延出した中央案内柱を欠いている。
【００６３】
図１４６は、ＣＦＤ調査における、中央案内柱の無い水溜り形状（feature）と４５°である２−孔の内容積を図示している。図１４７は、ＣＦＤ調査における、図１４６の中央案内柱の無い水溜り形状（feature）と４５°である２−孔の透過図を図示している。図１４８は、ＣＦＤ調査における、図１４６の中央案内柱の無い水溜り形状（feature）と４５°である２−孔の流体の流れを示している透過側面図を図示している。図１４９は、ＣＦＤ調査における、図１４６の中央案内柱の無い水溜り形状（feature）と４５°である２−孔の流体の流れを示している透過前面図を図示している。
【００６４】
この開示は１つ又はそれ以上の例示的な実施形態に関して記載されていたが、この開示の範囲から離れることなく種々の変更を行うことが出来るしその構成要素の為に均等物に代えることが出来ることを、当該技術分野に習熟した人々には理解される。さらには、この範囲から離れることなく開示の教えに対して特定の状況又は材料を適用するという多くの変更を行うことが出来る。従って、この開示は、意図されたベストモード（best mode）として記載されている特定の実施形態に限定されることなく、この開示は添付の特許請求の範囲の範囲内にある全ての実施形態を含むことが意図されている。
【図１】
2015526265.tif 000003
【図２】
2015526265.tif 000004
【図３】
2015526265.tif 000005
【図４】
2015526265.tif 000006
【図５】
2015526265.tif 000007
【図６】
2015526265.tif 000008
【図７】
2015526265.tif 000009
【図８】
2015526265.tif 000010
【図９】
2015526265.tif 000011
【図１０】
2015526265.tif 000012
【図１１】
2015526265.tif 000013
【図１２】
2015526265.tif 000014
【図１３】
2015526265.tif 000015
【図１４】
2015526265.tif 000016
【図１５】
2015526265.tif 000017
【図１６】
2015526265.tif 000018
【図１７】
2015526265.tif 000019
【図１８】
2015526265.tif 000020
【図１９】
2015526265.tif 000021
【図２０】
2015526265.tif 000022
【図２１】
2015526265.tif 000023
【図２２】
2015526265.tif 000024
【図２３】
2015526265.tif 000025
【図２４】
2015526265.tif 000026
【図２５】
2015526265.tif 000027
【図２６】
2015526265.tif 000028
【図２７】
2015526265.tif 000029
【図２８】
2015526265.tif 000030
【図２９】
2015526265.tif 000031
【図３０】
2015526265.tif 000032
【図３１】
2015526265.tif 000033
【図３２】
2015526265.tif 000034
【図３３】
2015526265.tif 000035
【図３４】
2015526265.tif 000036
【図３５】
2015526265.tif 000037
【図３６】
2015526265.tif 000038
【図３７】
2015526265.tif 000039
【図３８】
2015526265.tif 000040
【図３９】
2015526265.tif 000041
【図４０】
2015526265.tif 000042
【図４１】
2015526265.tif 000043
【図４２】
2015526265.tif 000044
【図４３】
2015526265.tif 000045
【図４４】
2015526265.tif 000046
【図４５】
2015526265.tif 000047
【図４６】
2015526265.tif 000048
【図４７】
2015526265.tif 000049
【図４８】
2015526265.tif 000050
【図４９】
2015526265.tif 000051
【図５０】
2015526265.tif 000052
【図５１】
2015526265.tif 000053
【図５２】
2015526265.tif 000054
【図５３】
2015526265.tif 000055
【図５４】
2015526265.tif 000056
【図５５】
2015526265.tif 000057
【図５６】
2015526265.tif 000058
【図５７】
2015526265.tif 000059
【図５８】
2015526265.tif 000060
【図５９】
2015526265.tif 000061
【図６０】
2015526265.tif 000062
【図６１】
2015526265.tif 000063
【図６２】
2015526265.tif 000064
【図６３】
2015526265.tif 000065
【図６４】
2015526265.tif 000066
【図６５】
2015526265.tif 000067
【図６６】
2015526265.tif 000068
【図６７】
2015526265.tif 000069
【図６８】
2015526265.tif 000070
【図６９】
2015526265.tif 000071
【図７０】
2015526265.tif 000072
【図７１】
2015526265.tif 000073
【図７２】
2015526265.tif 000074
【図７３】
2015526265.tif 000075
【図７４】
2015526265.tif 000076
【図７５】
2015526265.tif 000077
【図７６】
2015526265.tif 000078
【図７７】
2015526265.tif 000079
【図７８】
2015526265.tif 000080
【図７９】
2015526265.tif 000081
【図８０】
2015526265.tif 000082
【図８１】
2015526265.tif 000083
【図８２】
2015526265.tif 000084
【図８３】
2015526265.tif 000085
【図８４】
2015526265.tif 000086
【図８５】
2015526265.tif 000087
【図８６】
2015526265.tif 000088
【図８７】
2015526265.tif 000089
【図８８】
2015526265.tif 000090
【図８９】
2015526265.tif 000091
【図９０】
2015526265.tif 000092
【図９１】
2015526265.tif 000093
【図９２】
2015526265.tif 000094
【図９３】
2015526265.tif 000095
【図９４】
2015526265.tif 000096
【図９５】
2015526265.tif 000097
【図９６】
2015526265.tif 000098
【図９７】
2015526265.tif 000099
【図９８】
2015526265.tif 000100
【図９９】
2015526265.tif 000101
【図１００】
2015526265.tif 000102
【図１０１】
2015526265.tif 000103
【図１０２】
2015526265.tif 000104
【図１０３】
2015526265.tif 000105
【図１０４】
2015526265.tif 000106
【図１０５】
2015526265.tif 000107
【図１０６】
2015526265.tif 000108
【図１０７】
2015526265.tif 000109
【図１０８】
2015526265.tif 000110
【図１０９】
2015526265.tif 000111
【図１１０】
2015526265.tif 000112
【図１１１】
2015526265.tif 000113
【図１１２】
2015526265.tif 000114
【図１１３】
2015526265.tif 000115
【図１１４】
2015526265.tif 000116
【図１１５】
2015526265.tif 000117
【図１１６】
2015526265.tif 000118
【図１１７】
2015526265.tif 000119
【図１１８】
2015526265.tif 000120
【図１１９】
2015526265.tif 000121
【図１２０】
2015526265.tif 000122
【図１２１】
2015526265.tif 000123
【図１２２】
2015526265.tif 000124
【図１２３】
2015526265.tif 000125
【図１２４】
2015526265.tif 000126
【図１２５】
2015526265.tif 000127
【図１２６】
2015526265.tif 000128
【図１２７】
2015526265.tif 000129
【図１２８】
2015526265.tif 000130
【図１２９】
2015526265.tif 000131
【図１３０】
2015526265.tif 000132
【図１３１】
2015526265.tif 000133
【図１３２】
2015526265.tif 000134
【図１３３】
2015526265.tif 000135
【図１３４】
2015526265.tif 000136
【図１３５】
2015526265.tif 000137
【図１３６】
2015526265.tif 000138
【図１３７】
2015526265.tif 000139
【図１３８】
2015526265.tif 000140
【図１３９】
2015526265.tif 000141
【図１４０】
2015526265.tif 000142
【図１４１】
2015526265.tif 000143
【図１４２】
2015526265.tif 000144
【図１４３】
2015526265.tif 000145
【図１４４】
2015526265.tif 000146
【図１４５】
2015526265.tif 000147
【図１４６】
2015526265.tif 000148
【図１４７】
2015526265.tif 000149
【図１４８】
2015526265.tif 000150
【図１４９】
2015526265.tif 000151
【国際調査報告】
2015526265.tif 000152